(57)【特許請求の範囲】
【請求項１】
肌側表面に位置する液透過性の表面シートと、着衣側表面に位置する裏面シートと、前記表面シートと前記裏面シートとの間に配置された液吸収層とを有する生理用ナプキンにおいて、
前記表面シートと前記液吸収層との間に、複数のバリヤー材が設けられ、個々の前記バリヤー材は、少なくとも前記表面シートに向く表面が合成樹脂材料で形成され、その幅寸法が厚み寸法よりも大きく且つ細長形状であり、その長手方向が縦方向に向けて延びるとともに横方向の両側に向く湾曲部を有しており、
前記バリヤー材どうしは互いに結合されずにその厚み方向に重ねられて積層されており、前記バリヤー材の間に、前記液吸収層に通じる多数の空隙部が形成され、個々の前記空隙部は縦方向に細長く溝状に延びていることを特徴とする生理用ナプキン。
【請求項２】
前記バリヤー材はその一部が前記表面シートと結合されている請求項１記載の生理用ナプキン。
【請求項３】
前記バリヤー材は、縦方向に向けて蛇行しているもの、または倦縮されているものを含む請求項１または２記載の生理用ナプキン。
【請求項４】
前記バリヤー材は、幅寸法が０．１〜５ｍｍであり、厚みが０．０２〜３．０ｍｍである請求項１ないし３のいずれかに記載の生理用ナプキン。
【請求項５】
前記表面シートは、少なくとも肌側表面が樹脂層で形成されて多数の液透過孔を有しており、前記バリヤー材の幅寸法が、前記液透過孔の横方向に向く開孔幅寸法よりも小さい請求項１ないし４のいずれかに記載の生理用ナプキン。
【請求項６】
前記バリヤー材は白色化処理されている請求項１ないし５のいずれかに記載の生理用ナプキン。
【発明の詳細な説明】
【技術分野】
【０００１】
本発明は、生理用ナプキンに係り、特に表面シートを透過した液を縦方向に拡散させ且つ液吸収層へ速やかに吸収させて横漏れを防止でき、また液吸収層に吸収された経血の色の隠蔽機能の高い生理用ナプキンに関する。
【背景技術】
【０００２】
生理用ナプキンは、肌側表面に与えられた経血が液吸収層に速やかに吸収されること、与えられた液の横方向への洩れが生じにくいこと、液吸収層に吸収された経血が肌側表面に戻りにくいことなどが要求され、さらに液吸収層に吸収された経血の色を肌側表面から直接に目視できないように隠蔽しやすいことが好まれている。これらの要求を満たすために、一般には、表面シートの構造を工夫し、または表面シートと液吸収層との間にさらに他の部材を介在させている。
【０００３】
以下の特許文献１には、液体の取り入れを容易とし、且つ肌側表面に液が戻りにくく、さらに液体の色の隠蔽機能を向上させることを目的とした生理用ナプキンが開示されている。
【０００４】
特許文献１に記載の生理用ナプキンは、肌側表面に位置する第１通過層が樹脂フィルムで形成されて、この樹脂フィルムに１．４〜３．０ｍｍ２の範囲の大きな開孔面積の開孔部が形成されている。また、第１通過層の下に位置する第２通過層が、空隙率の高い高ロフト弾性繊維材料により形成されている。また発明と対照させる構造として、第１通過層が前記のように開孔面積の大きな開孔部を有する樹脂フィルムで形成され、第２通過層が、開孔面積の小さい開孔部を有する樹脂フィルムで形成されたものが開示されている。
【０００５】
さらに、以下の特許文献２には、表面シートと液吸収層との間に倦縮繊維の集合体を介在させた生理用ナプキンが開示されている。前記倦縮繊維は互いに絡み合って所定の弾性率を発揮できるようにしている。表面シートと液吸収層との間に前記倦縮繊維の集合体を介在させることにより、膣口に当てられたときに前記倦縮繊維の集合体が自由に変形しやすくなるというものである。
【０００６】
また、以下の特許文献３の図１１および図１２には、肌側表面において、縦方向に二列に延びて且つそれぞれが肌側に隆起した一対の肌当接部を有する生理用ナプキンが開示されている。前記肌当接部では、表面シートと液吸収層との間に、ＴＯＷから開繊された連続繊維の束が介在し、この連続繊維はその繊維長方向が縦方向に向けられている。
【０００７】
前記特許文献３に記載の発明は、一対の肌当接部がクッション性を有して女性の股間部に当接でき、また膣口から排泄された経血を前記肌当接部と肌当接部との間の溝部で受け止めて液吸収層に吸収させることにより、生理用ナプキンの肌側表面において前記経血が横方向へ流れるのを阻止し、経血の横漏れを防止しやすくするというものである。
【特許文献１】特表平１１−５０７５７３号公報
【特許文献２】特開２００１−３４０３８２号公報
【特許文献３】特開２００２−３４５８８７号公報
【発明の開示】
【発明が解決しようとする課題】
【０００８】
前記特許文献１に記載の発明は、第１通過層に開孔面積の大きな開孔部が形成されて液の通過機能が高められているが、第１通過層の下に、第２通過層である繊維層および液吸収層が位置しているため、肌側表面から体圧が作用したときに、液吸収層に吸収されている経血が、前記第２通過層を透過しさらに大きな開孔面積の前記開孔部を通じて肌側表面に戻りやすい。また、第２通過層の空隙内に経血が保持されやすく、第１通過層の大きな開孔面積の開孔部を通して前記経血の色が目視されることにより、肌側表面で経血の色が目立ちやすい。
【０００９】
また、前記特許文献１に記載された対照構造では、開孔面積の大きな開孔部が形成された第１通過層の下に、第２通過層として小さな開孔面積の開孔部が形成された樹脂フィルムが配置されている。この第２通過層を設けることにより、液吸収層に吸収された経血の色が肌側表面において目立たなくなる効果を発揮させることが可能と考えられるが、この第２通過層は、第１通過層を通過した経血に対して抵抗物として作用する。そのため、第１通過層と第２通過層との間に経血が滞留しやすく、滞留した経血は第１通過層と第２通過層との間において各層の面方向に広がりやすい。そのために横洩れを生じさせやすくなっている。さらには滞留した経血が第１通過層の開孔部を通過して肌側表面に戻りやすい。
【００１０】
次に、前記特許文献２に記載の生理用ナプキンは、表面シートと液吸収層との間に、倦縮繊維の集合体が設けられている。この倦縮繊維の集合体は、肌側表面を身体の形状に合わせて変形しやすくするものであるが、肌側表面に与えられた経血を液吸収層に浸透させやすく、また液吸収層から肌側表面への液の戻りを阻止できる機能については特に開示されていない。表面シートの下に倦縮繊維の集合体を設けたものでは、表面シートを透過した粘度の高い経血の凝集体を倦縮繊維が断ち切るように作用し、その結果、経血が液吸収層に向けて移行しにくくなる心配がある。
【００１１】
また、前記特許文献３に記載の生理用ナプキンでは、肌側に隆起した一対の肌当接部内にＴＯＷから開繊された繊維層が設けられている。しかし、一対の前記肌隆起部は、その間に位置する溝部内に経血を導くためにものであり、前記肌当接部内に経血を透過させるためのものではない。
【００１２】
本発明は、前記従来の課題を解決するものであり、比較的粘度の高い経血を速やかに保持することができ、横方向への拡散を防止でき、さらに経血の色の隠蔽機能の高い生理用ナプキンを提供することを目的としている。
【課題を解決するための手段】
【００１３】
本発明は、肌側表面に位置する液透過性の表面シートと、着衣側表面に位置する裏面シートと、前記表面シートと前記裏面シートとの間に配置された液吸収層とを有する生理用ナプキンにおいて、
前記表面シートと前記液吸収層との間に、複数のバリヤー材が設けられ、個々の前記バリヤー材は、少なくとも前記表面シートに向く表面が合成樹脂材料で形成され、その幅寸法が厚み寸法よりも大きく且つ細長形状であり、その長手方向が縦方向に向けて延びるとともに横方向の両側に向く湾曲部を有しており、
前記バリヤー材どうしは互いに結合されずにその厚み方向に重ねられて積層されており、前記バリヤー材の間に、前記液吸収層に通じる多数の空隙部が形成され、個々の前記空隙部は縦方向に細長く溝状に延びていることを特徴とするものである。
【００１４】
本発明の生理用ナプキンは、表面シートの下に設けられた前記バリヤー材により、液吸収層から表面シートへの液の戻りを防止でき、且つ液吸収層に吸収された経血の色を前記バリヤー材で隠蔽できる。また、バリヤー材は縦方向に向って延び且つバリヤー材の間に空隙部が設けられているため、表面シートを透過した経血が前記空隙部に沿って縦方向に拡散しながら液吸収層に吸収される。したがって、経血を液吸収層に速やかに与えることができ、また経血の横方向への拡散を防止して、経血の横漏れを阻止しやすい。
【００１５】
また、前記バリヤー材は樹脂層で形成されているため、体圧が作用し変形した後に弾性復元力を発揮できる。よって、経血を透過させる空隙部が安定して形成されるようになる。
【００１６】
また本発明は、前記バリヤー材はその一部が前記表面シートと結合されているものである。
【００１７】
前記バリヤー材の一部が表面シートに結合されていると、体圧が作用しても表面シートとバリヤー材が位置ずれしにくく、バリヤー材の間に溝状の空隙部が適度に分散するようになって、経血の透過機能を効果的に維持できるようになる。
【００１８】
本発明は、好ましくは、前記バリヤー材は、縦方向に向けて蛇行しているもの、または倦縮されているものを含んでいる。
【００１９】
前記バリヤー材が蛇行または倦縮していると、バリヤー材の間に前記空隙部が分散して形成されるようになる。
【００２０】
本発明は、好ましくは、前記バリヤー材は、幅寸法が０．１〜５ｍｍであり、厚みが０．０２〜３．０ｍｍである。
【００２１】
さらに本発明は、前記表面シートは、少なくとも肌側表面が樹脂層で形成されて多数の液透過孔を有しており、前記バリヤー材の幅寸法が、前記液透過孔の横方向に向く開孔幅寸法よりも小さいものとして構成できる。
【００２２】
この生理用ナプキンは、経血が液透過孔を経て表面シートを通過するが、液透過孔の下がバリヤー層で塞がれることがなく、液透過孔から液吸収層へ適度な液通過経路が形成されるようになる。
【００２３】
また、本発明は、前記バリヤー材は白色化処理されている。
バリヤー材が白色化処理されていると、液吸収層に吸収されている経血の色を、生理用ナプキンの肌側表面から目立たなくする効果をさらに高めることができる。
【発明の効果】
【００２４】
本発明の生理用ナプキンは、液吸収層に吸収された経血が表面シートに向けて戻りにくく、また経血がバリヤー材に沿って縦方向に拡散しながら液吸収層に吸収されるため、液の吸収速度が速く、横漏れも生じにくい。さらにバリヤー材が存在することにより、液吸収層に吸収された経血の色が肌側表面において目立ちにくくなる。
【発明を実施するための最良の形態】
【００２５】
図１は本発明の第１の実施の形態の生理用ナプキンを肌側表面を手前に向けて示す平面図、図２は図１のＩＩ−ＩＩ線の断面図、図３は表面シートとバリヤー材の詳細を示す部分斜視図、図４は図２の部分拡大図である。
【００２６】
図１に示す生理用ナプキン１は、Ｙ方向に向けて縦長形状であり、縦方向中心線Ｏｙを介して左右対称形状である。生理用ナプキン１の前縁部１ａと後縁部１ｂは、縦方向の前後に突出する突曲線形状である。左右両側部には、左右方向へ突出するウイング部２，２が形成されている。このウイング部２，２は、横方向中心線Ｏｘよりもやや前縁部１ａ側に偏った位置に設けられている。ウイング部２，２よりも前方には、前方右縁部１ｃと前方左縁部１ｄが形成され、ウイング部２，２よりも後方には、後方右縁部１ｅと後方左縁部１ｆが形成されている。
【００２７】
図２に示すように、この生理用ナプキン１の基本的な構造は、着用者の股間部に向けられる肌側表面に位置する液透過性の表面シート５と、下着のクロッチ部に向けられる着衣側表面に位置する液遮断性の裏面シート６とを有しており、前記表面シート５と前記裏面シート６との間に液吸収層７が設けられている。図１において破線で示すように、液吸収層７の前縁部７ａは前方に向く突曲線形状であり、生理用ナプキン１の前縁部１ａよりも内側に間隔を空けて位置し、液吸収層７の後縁部７ｂも後方に向く突曲線形状であり、生理用ナプキン１の後縁部１ｂから内側に間隔を空けて位置している。
【００２８】
液吸収層７の右縁部７ｃは、生理用ナプキン１の前方右縁部１ｃおよび後方右縁部１ｅよりも内側に間隔を空けて位置し、液吸収層７の左縁部７ｄは、生理用ナプキン１の前方左縁部１ｄおよび後方左縁部１ｆよりも内側に間隔を空けて位置している。前記液吸収層７の前縁部７ａ、後縁部７ｂ、右縁部７ｃおよび左縁部７ｄよりも外側に外れた領域において、前記表面シート５と裏面シート６とがホットメルト型接着剤で接着されている。
【００２９】
なお、生理用ナプキン１の肌側表面において、縦方向中心線Ｏｙから左右に所定距離を空けて、左右両側に液不透過性の側部シートが設けられていてもよいし、この側部シートによって、縦方向に延びて肌側表面から立ち上がる防漏壁が形成されていてもよい。
【００３０】
図１に示すように、この生理用ナプキン１は、横方向中心線Ｏｘから前後に等距離を空けた長さ寸法Ｌ１で且つ縦方向中心線Ｏｙから左右に等距離を空けた幅寸法Ｗ１の範囲が、主受液領域１０とされている。この主受液領域１０では、表面シート５と液吸収層７との間にバリヤー材１１が配置されている。
【００３１】
図３に示すように、前記バリヤー材１１は、幅寸法がＷａで、前記主受液領域１０において縦方向に連続して延びる細帯形状の樹脂フィルムである。この実施の形態では、個々のバリヤー材１１が、主受液領域１０の縦方向の長さ寸法Ｌ１の全長に渡って途切れない長さ寸法を有している。ただし、バリヤー材１１が前記縦方向の長さ寸法Ｌ１よりも短く、このバリヤー材１１が前記縦方向の長さ寸法Ｌ１の全範囲に位置するように並べられていてもよい。
【００３２】
本明細書において、バリヤー材１１が縦方向に連続して延びているとは、バリヤー材１１がＹ方向に対して正確に平行に延びている状態に限られるものではなく、前記Ｙ方向に対して交叉して、ほぼ縦方向に向って延びている状態を含む。
【００３３】
前記バリヤー材１１は、表面シート５と液吸収層７との間において、上下方向（Ｚ方向）に複数層に重ねられている。個々のバリヤー材１１は、表面シート５と部分的に接合されているが、表面シート５と接合されていない部分では、バリヤー材１１どうしは、互いに接着や熱溶着されておらず、結合されていない独立状態を保っている。
【００３４】
多数配置されているバリヤー材１１の間には、多数の空隙部１２が形成されている。前記バリヤー材１１が縦方向に向けて延びているため、個々の空隙部１２も縦方向に細長く溝状に延びている。前記空隙部１２は、表面シート５から液吸収層７への経血の通過経路を形成するものであるが、多数の空隙部１２のうちの一部は、表面シート５から液吸収層７に向けて、上下方向（Ｚ方向）に貫通して形成されている。
【００３５】
図３に示すように、個々のバリヤー材１１は縦方向に向けて直線的な細帯形状ではなく、縦方向に向けて延びると共に横方向の両側に向く湾曲部１１ａがランダムに繰り返すように設けられた蛇行形状である。
【００３６】
バリヤー材１１が蛇行形状であると、隣り合うバリヤー材１１の間および上下に位置するバリヤー材１１の間に、横方向に膨らみを有しまたは蛇行しながら縦方向に延びる多数の空隙部１２が形成される。また、バリヤー材１１が蛇行形状であると、バリヤー材１１が上下に重なっている場所においても、上下のバリヤー材１１の間に空隙部１２を形成することが可能となり、空隙率を高くできる。
【００３７】
個々のバリヤー材１１の幅寸法Ｗａは０．１〜５．０ｍｍの範囲であり、好ましくは０．５〜３．０ｍｍの範囲である。前記範囲であると、表面シート５を通過した経血に対してバリヤー材１１がその流れを阻害する抵抗物とならず、空隙部１２内を経血が自由で落下しやすくなる。
【００３８】
バリヤー材１１の厚みは０．０２〜３．０ｍｍの範囲であり、好ましくは０．５〜２．０ｍｍの範囲である。厚みが前記範囲内であると、生理用ナプキン１の肌側表面に体圧が作用し、バリヤー材１１が変形して空隙部１２が潰された状態で、前記体圧が除去されると、バリヤー材１１の弾性復元力により空隙部１２が元の状態に戻りやすくなる。
【００３９】
また、前記主受液領域１０で且つ、最上部に位置するバリヤー材１１の表面から最下部に位置するバリヤー材１１の下面までの立体の中での前記空隙部１２が占める率、すなわち主受液領域１０において、前記表面シート５と前記液吸収層７とで挟まれる領域の体積に対して、前記バリヤー材間の空隙部が体積比で２０％以上で１００％未満の率で設けられている。また、バリヤー材１１が積層されている高さ寸法は、０．５〜１０ｍｍの範囲であり、好ましくは２〜７ｍｍである。前記空隙部１２の最大高さも前記範囲内となる。
【００４０】
バリヤー材１１の設けられている高さおよび空隙部１２の最大高さが前記範囲内であると、表面シート５を通過した粘度の高い経血が凝集した状態で空隙部１２内を通過して液吸収層７に至ることができる。また、空隙部１２の占める率が前記範囲内であると、バリヤー材１１が表面シート５および液吸収層７に接触する面積を確保でき、表面シート５を通過した経血がバリヤー材１１を伝わって液吸収層７に導かれやすくなる。
【００４１】
この生理用ナプキン１が女性の股間部に装着されたときに、前記主受液領域１０が膣口に対向できるように、主受液領域１０の長さ寸法Ｌ１と幅寸法Ｗ１が定められている。前記長さ寸法Ｌ１の好ましい範囲は４０〜７０ｍｍであり、前記幅寸法Ｗ１の好ましい範囲は２０〜３０ｍｍであるが、前記バリヤー材１１を配置する領域の寸法は前記範囲に限られるものではない。
【００４２】
前記バリヤー材１１は、ＬＬＤＰＥ（直鎖状低密度ポリエチレン）、ＬＤＰＥ（低密度ポリエチレン）、ＨＤＰＥ（高密度ポリエチレン）、ＰＰ（ポリプロピレン）、タフマー等の熱可塑性樹脂材料の単独もしくはブレンドした樹脂材料で形成される。または前記樹脂材料を多層化した多層フィルムによって形成される。また、前記樹脂材料に酸化チタン、硫酸バリウム、炭酸カルシウムなどの無機フィラーを１０〜４０質量％の範囲で練り込んで白色化させたものが使用される。表面シート５とバリヤー材１１を白色化させることにより、液吸収層７に吸収された経血の色を隠蔽することができる。さらに前記バリヤー材１１として、多数の開孔を有するものも使用可能である。
【００４３】
また、前記バリヤー材１１を形成している樹脂フィルムには、エステル系などの親水油剤が０．１〜２．５質量％塗布されまたは練り込まれて、親水化処理されている。
前記バリヤー材１１は、例えば図９に示す方法によって製造される。
【００４４】
前記樹脂材料で形成された所定幅寸法のフィルム２０は１枚または複数枚重ねられて、一対の裁断ロール２１，２１の間に供給され、裁断ロール２１，２１によりフィルムが細幅に裁断される。裁断後に、ニップルロール２２，２２およびニップルロール２３，２３に挟持されて送り出される。ここで、下流側のニップルロール２３，２３の表面の周速度を上流側のニップルロール２２，２２の表面の周速度よりも速くしておくと、ニップルロール２２，２２とニップルロール２３，２３の間で、裁断されたフィルムに張力が与えられ、前記ニップルロール２３，２３を通過した後に前記張力から開放される。これにより、裁断後のバリヤー材１１が互いに密着せずに分離されやすくなる。
【００４５】
図３に示すように、個々のバリヤー材１１を蛇行形状にするには、前記裁断ロール２１，２１のロール表面に形成された切断刃の形状を周方向に向けて蛇行させることにより可能である。または、裁断ロール２１，２１で裁断された時点で、裁断された細幅のフィルムが蛇行しておらず、その後にニップルロール間での張力の付与と張力の開放とを複数回繰り返すことによっても、蛇行形状のバリヤー材１１を形成することができる。
【００４６】
また、前記バリヤー材１１の他の製造方法としては、合成樹脂フィルムを延伸し、延伸方向と直交する方向へ引き裂く方法、樹脂フィルムを延伸してウォータジェットの圧力や熱風の圧力で引き裂く方法、一対のロール表面にかみ合わせ突起を形成し、樹脂フィルムを噛み合せ突起内に供給して張力を与えて引き裂く方法、などが可能である。
【００４７】
第１の実施の形態の生理用ナプキン１では、前記表面シート５が合成樹脂フィルムで形成されており、この表面シート５には多数の液透過孔５ａが規則的にまたはランダムに配置されて形成されている。
【００４８】
少なくとも前記主受液領域１０すなわち前記バリヤー材１１が設けられている領域では、図３に示すように、前記表面シート５に形成された個々の液透過孔５ａの横方向（Ｘ方向）の開孔径Ｄｘは、前記バリヤー材１１の幅寸法Ｗａよりも大きいことが好ましい。すなわち、バリヤー材１１の幅寸法Ｗａを、前記開孔径Ｄｘよりも小さくすることにより、個々の液透過孔５ａの下に、前記空隙部１２が対向できるようになる。
【００４９】
樹脂フィルムに所定の開孔面積と開孔面積率の液透過孔を形成させ、樹脂フィルムを伸長させて前記液透過孔の開孔面積および開孔面積率を向上させたものを表面シート５として使用し、延伸方向を横方向に向けて配置すると、液透過孔５ａが横方向に向く長円形状となる。このような表面シート５を使用すると、バリヤー材１１の幅寸法Ｗａよりも、液透過孔５ａの横方向への開孔径Ｄｘを大きくしやすくなる。ただし、前記液透過孔５ａがほぼ真円形状であってもよい。
【００５０】
なお、前記バリヤー材１１が親水化処理されている場合には、前記開孔径Ｄｘよりも前記幅寸法Ｗａが大きくても、表面シート５の表面に与えられた経血を液吸収層７へ導くことが可能である。
【００５１】
表面シート５を形成する樹脂フィルムは、前記バリヤー材１１と同種の樹脂材料で形成され、前記バリヤー材１１と同様に白色化処理され、また親水処理されたものが使用される。
【００５２】
表面シート５の個々の液透過孔５ａの開孔径Ｄｘは、０．３〜６．０ｍｍの範囲であり、１．０〜３．０ｍｍの範囲が好ましい。また液透過孔５ａの開孔面積率は１０〜６０％であり、好ましくは２０〜５０％である。
【００５３】
例えば、多数の孔を有する基材上で樹脂フィルムを軟化させ、前記基材の裏側からエアー吸引するパーフォレーション法によって、前記液透過孔５ａを形成することができる。このパーフォレーション法によると、図４に示すように、表面シート５の液透過孔５ａは、バリヤー材１１に向って径が徐々に狭くなるテーパ穴であり、液透過孔５ａの周囲からバリヤー材１１に向って突出するリブ５ｂが形成される。
【００５４】
好ましくは、前記表面シート５とバリヤー材１１は部分的に結合されている。例えば表面シート５とバリヤー材１１は、液の透過を妨げないように１〜１０ｇ／ｍ２の範囲で横方向に延びるストライプ状またはスパイラル状に塗工されたホットメルト型接着剤で接着されている。
【００５５】
または表面シート５とバリヤー材１１はドット状に配列したエンボス部で加圧加熱されて溶着されている。エンボス部の面積率は１〜４０％であり、好ましくは１〜１５％である。１つのエンボス部の面積は１．７５〜２８．２６ｍｍ２であり、好ましくは７〜１９ｍｍ２である。
【００５６】
前記表面シート５とバリヤー材１１とがエンボス部で溶着される場合には、その溶着部において上下に重ねられているバリヤー材１１も互いに固定される。本発明における「バリヤー材どうしが互いに結合されておらず」とは、前記溶着部などにおいて、バリヤー材１１どうしが部分的に接合されているものを除外するものではない。
【００５７】
裏面シート６は、ＰＥ（ポリエチレン）樹脂フィルムなどの液遮断性シートで形成されている。前記液吸収層７は、粉砕パルプと高吸収性ポリマー（ＳＡＰ）との混合体がティッシューペーパで包まれて構成されている。
【００５８】
前記バリヤー材１１と液吸収層７との間は、液の透過を妨げないように、１〜１０ｇ／ｍ２の範囲で塗工されたホットメルト型接着剤で接着され、液吸収層７と裏面シート６もホットメルト型接着剤により接着されている。
【００５９】
この生理用ナプキン１は、下着のクロッチ部の内面に装着されて、裏面シート６の外面に設けられた感圧接着剤層の接着力により前記クロッチ部に固定される。またウイング部２，２が前記クロッチ部の両側縁部で下着の外面に向けて折られ、ウイング部２，２において裏面シート６の外面に設けられた感圧接着剤層が下着のクロッチ部の外面に接着される。
【００６０】
生理用ナプキン１が身体の股間部に装着されると、主受液領域１０が膣口に対向し、膣口から排出された経血は主として前記主受液領域１０に与えられる。主受液領域１０では、表面シート５に形成された液透過孔５ａの下にバリヤー材１１および空隙部１２が現れているため、経血は液透過孔５ａ内を透過し、空隙部１２を通過して液吸収層７に至る。バリヤー材１１の幅寸法Ｗａは前記範囲であり、好ましくは前記幅寸法Ｗａが液透過孔５ａの前記開孔径Ｄｘよりも小さいため、液透過孔５ａを透過した経血に対してバリヤー材１１が与える抵抗が小さく、空隙部１２の大きさも適度であるため、経血は空隙部１２内を通過して液吸収層７に速やかに至ることができる。またバリヤー材１１が親水処理されていると、経血はバリヤー材１１を伝わって、前記空隙部１２内を通過して液吸収層７に吸収される。
【００６１】
また、バリヤー材１１は互いに結合されることなく、重ねられて存在しているため、バリヤー材１１の間に形成された空隙部１２が三次元的に延びるようになり、経血は空隙部１２内を通過して液吸収層７に至りやすくなる。
【００６２】
前記空隙部１２は縦方向に延びているため、この空隙部１２内で経血が縦方向に導かれながら液吸収層７に吸収されるようになり、経血が横方向へ移動しにくく、生理用ナプキン１から経血が横漏れしにくくなる。
【００６３】
図３に示すように、表面シート５の液透過孔５ａの下には、前記バリヤー材１１が重ねられて配置されているため、液吸収層７に吸収された経血が表面シート５の表面に戻りにくい。図４に示すように、表面シート５の液透過孔５ａがバリヤー材１１に向けて開孔径が徐々に狭くなるテーパ穴で且つ液透過孔５ａの周囲からバリヤー材１１に向けて突出するリブ５ｂが形成されていると、経血が液透過孔５ａを逆行しにくくなり、さらに表面シート５の表面に経血が戻りにくくなる。
【００６４】
前記のように表面シート５とバリヤー材１１は白色化処理され、しかも表面シート５の液透過孔５ａの下にバリヤー材１１が位置しているため、液吸収層７に吸収された経血の色が生理用ナプキン１の肌側表面において目立たなくなる。
【００６５】
図５と図６は前記第１の実施の形態の生理用ナプキンの変形例を示す拡大断面図である。
【００６６】
図５に示す生理用ナプキン１Ａは、縦方向中心線Ｏｙを中心とする横方向への幅寸法がＷｘの範囲内に、前記第１の実施の形態の生理用ナプキン１と同じ幅寸法Ｗａのバリヤー材１１が配置され、前記範囲よりも左右両側では、前記バリヤー材１１の幅寸法Ｗａの１／４〜３／４の範囲の幅寸法を有するさらに細幅のバリヤー材１１ｃが配置されている。そして、Ｗｘの範囲でのバリヤー材１１の目付けと、前記Ｗｘの範囲外でのバリヤー材１１ｃの目付けとが同等である。または、Ｗｘの範囲でのバリヤー材１１の目付けが、前記Ｗｘの範囲外でのバリヤー材１１ｃの目付けよりもやや小さくなっている。
【００６７】
したがって、前記Ｗｘの範囲での個々の空隙部１２よりも、前記Ｗｘの範囲外での個々の空隙部１２ａの方が小さくなる。
【００６８】
図６に示す生理用ナプキン１Ｂでは、表面シート５と液吸収層７との間に、同じ幅寸法のバリヤー材１１ｂが設けられている。前記Ｗｘの範囲でのバリヤー材１１ｂの目付けよりも、前記Ｗｘの範囲外でのバリヤー材１１ｂの目付けの方が大きくなっている。よって、Ｗｘの範囲での空隙部１２ｂの占める率は、Ｗｘの範囲外での空隙部１２ｄの占める率よりも大きくなっている。
【００６９】
図５に示す生理用ナプキン１Ａと図６に示す生理用ナプキン１Ｂでは、幅寸法Ｗｘの範囲において、液吸収層７への経血の透過性が良好となり、Ｗｘ以外の範囲では、液吸収層７から表面シート５への経血の戻りを効果的に防止できるようになる。前記幅寸法Ｗｘは１０〜５０ｍｍであり、１５〜３５ｍｍの範囲が好ましい。
【００７０】
次に、図７と図８は、前記バリヤー材の他の実施の形態を示している。
図７に示すバリヤー材１１１は、前記バイヤー材１１と同種の樹脂材料により細幅に形成されているが、個々のバリヤー材１１１が倦縮されており、巻き部１１１ａを有している。このバリヤー材１１１を使用すると、上下に重なった状態でバリヤー材１１１の間に空隙部が形成されやすくなる。
【００７１】
図８（Ａ）に示すバリヤー材１１２は、前記実施の形態のバリヤー材１１と同様に白色化され且つ親水処理化された樹脂フィルム１１２ａと、この樹脂フィルム１１２ａに重ねられて接合された繊維層１１２ｂとから構成されている。そして、前記樹脂フィルム１１２ａが表面シート５に向けられるように配置される。図８（Ｂ）に示すバリヤー材１１３は、前記と同様の樹脂フィルム１１３ａと樹脂フィルム１１３ａとの間に前記と同様の繊維層１１３ｂが挟まれて互いに接合されている。
【００７２】
前記繊維層１１２ｂ，１１３ｂは親水性の不織布であり、前記樹脂フィルム１１２ａ，１１３ａに接着剤で接着され、または熱溶融で接合され、あるいは繊維層１１２ｂ，１１３ｂと樹脂フィルム１１２ａ，１１３ａとがドット状のエンボス部において熱融着されている。前記不織布を構成する繊維は、ＰＥ、ＰＰ、ＰＥＴ（ポリエチレンテレフタレート）などの合成樹脂繊維で親水処理されたものが使用される。あるいは前記不織布にセルロース系繊維が含まれていてもよい。
【００７３】
図８に示すバリヤー材１１２，１１３は、その縁部に親水性の繊維層１１２ｂ，１１３ｂが現れているため、表面シート５の液透過孔５ａを透過した経血は、前記繊維層１１２ｂ，１１３ｂに引き付けられて、隣り合うバリヤー材の間の空隙部内に向けて導かれやすくなる。
【００７４】
なお、生理用ナプキンの表面シートと液吸収層との間に、前記各実施の形態のバリヤー材が混合されて、または場所ごとに分布して配置されていてもよい。
【００７５】
図１０は、本発明の他の構造の生理用ナプキン４０を示す平面図である。
この生理用ナプキン４０では、前記バリヤー材１１が存在している主受液領域１０の左右両側に縦方向圧縮溝４１，４１が形成され、主受液領域１０の前方と後方に横方向圧縮溝４２，４２が形成されている。
【図面の簡単な説明】
【００７６】
【図１】本発明の第１の実施の形態の生理用ナプキンを示す平面図、
【図２】図１に示す生理用ナプキンのＩＩ−ＩＩ線の断面図、
【図３】表面シートとバリヤー材との配置関係を示す部分拡大斜視図、
【図４】図２の部分拡大図、
【図５】図１に示す生理用ナプキンの変形例を示す拡大断面図、
【図６】図１に示す生理用ナプキンの変形例を示す拡大断面図、
【図７】バリヤー材の他の実施の形態を示す拡大斜視図、
【図８】（Ａ）（Ｂ）はバリヤー材の他の実施の形態を示す拡大平面図、
【図９】バリヤー材の製造工程の一例を示す説明図、
【図１０】本発明の他の構造の生理用ナプキンを示す平面図、
【符号の説明】
【００７７】
１  生理用ナプキン
５  表面シート
５ａ  液透過孔
６  裏面シート
７  液吸収層
１０  主受液領域
１１  バリヤー材
１２  空隙部
１１１，１１２，１１３  バリヤー材
１１２ａ，１１３ａ  樹脂フィルム
１１２ｂ，１１３ｂ  繊維層
【図１】
0004738754.tif 000002
【図２】
0004738754.tif 000003
【図３】
0004738754.tif 000004
【図４】
0004738754.tif 000005
【図５】
0004738754.tif 000006
【図６】
0004738754.tif 000007
【図７】
0004738754.tif 000008
【図８】
0004738754.tif 000009
【図９】
0004738754.tif 000010
【図１０】
0004738754.tif 000011